(57)【要約】【課題】ロールペーパーアプリケーターを提供する。【解決手段】本考案のロールペーパーアプリケーター１００には、ロールペーパー２４が設置され、ロールペーパー２４と細長い圧板３０とは平行に設置され、圧板３０上方には押さえ棒３３が連接される。ロールペーパー２４の紙と押さえ棒３３が接触すると、ロールペーパー２４から伸びた紙はカッティングされる。ロールペーパー２４下方にガイドローリング筒が設置され、使用者がロールペーパー２４の方向を調整すると、ロールペーパー２４の紙はガイドローリング筒を通してしぼ紙装置に連接され、紙が巻き取られる効果が生じる。これにより、本考案のロールペーパーアプリケーター１００は、使用者の人体工学的要求に応えることができる。【選択図】図１
0003221138.tif 000002
【実用新案登録請求の範囲】
【請求項１】
ベース、搭載装置、圧板、ガイド装置、しぼ紙装置を有するロールペーパーアプリケーターであって、
前記ベースには底フレームが設置され、前記底フレームの両側には立フレームがそれぞれ設置され、
前記搭載装置は２個の位置限定部材を有し、各前記位置限定部材は前記立フレームに設置され、各前記位置限定部材にはシャフトが取り付けられ、
前記圧板両端には連動部材がそれぞれ設置され、各前記連動部材は前記立フレームに枢接され、各前記連動部材は弾性部材がそれぞれ連接され、各前記弾性部材の反対端には前記立フレームが連接され、
前記搭載装置を中心として、前記ガイド装置が設置される側を第二側、前記側の反対側を第一側と規定すると、
前記ガイド装置にはサポートロッドが設置され、前記サポートロッドは前記立フレームに接続され、しかも前記ガイド装置と前記シャフトとは平行に設置され、前記ガイド装置は前記搭載装置の前記第二側に位置し、
前記しぼ紙装置は前記底フレームに設置され、前記搭載装置の前記第一側に位置し、しかも前記しぼ紙装置にカッティング部材が設置されることを特徴とする、ロールペーパーアプリケーター。
【請求項２】
前記サポートロッド両端には固定部材がそれぞれ連接され、各前記固定部材の反対端は前記立フレームに固接され、しかも前記サポートロッドはローラーに嵌めて設置され、前記ローラーの両側には定位部材がそれぞれ設置され、しかも各前記定位部材は前記サポートロッドに通して設置されることを特徴とする、請求項１に記載のロールペーパーアプリケーター。
【請求項３】
前記しぼ紙装置はロート状を呈し、
前記カッティング部材はＶ字型を呈し、開口が設置され、前記開口両側にはブレードがそれぞれ設置されることを特徴とする、請求項１に記載のロールペーパーアプリケーター。
【請求項４】
前記圧板には押さえ棒が連接され、
前記押さえ棒は前記圧板と平行に設置されることを特徴とする、請求項１に記載のロールペーパーアプリケーター。
【請求項５】
前記立フレームの両側には係合固定部品がそれぞれ設置され、
前記係合固定部品は、収容設置部、切換えボタン、挿入ピンを有し、
前記収容設置部は中空円柱体で、しかも側壁には開口が設置され、前記挿入ピンが設置され、前記切換えボタンは回転ネジであり、前記回転ネジのネジ山部分は前記開口を通過して前記挿入ピンに螺設され、これにより前記挿入ピンは前記収容設置部に沿って移動して第一位置と第二位置を形成することを特徴とする、請求項１に記載のロールペーパーアプリケーター。
【考案の詳細な説明】
【技術分野】
【０００１】
本考案はアプリケーターに関し、特にロールペーパーアプリケーターに関する。
【背景技術】
【０００２】
オフィスのデジタル化、自動化とコンピューター、プリンターの普及で、ＩＴ用紙、包装用紙など紙の用途は広がり、大きな利便性をもたらしている。特に包装用紙において、しぼ紙は広く使用されている。
しかし、しぼ紙の製造には、必ず人手が必要で、非常に時間がかかっていた。
そのため、しぼ紙の製造機械が開発された。例えば、２０１６年４月１９日に公告された特許文献１に開示される「しぼ紙マシン」では、ガイドローリング筒及びブレーキアームローラーの方向に沿って、ロールペーパーがロート型通路まで延伸される。
通路まで導引された紙は、限られた空間を通ることで圧縮されてシワがよる。こうして、しぼ紙の製造という目的を達成する。
こうして人手による生産に比べて時間は大きく節約され、いかにして効率的に紙を巻き取るかという問題が徹底的に解決された。
【０００３】
しかし、従来のしぼ紙マシンは、紙を巻き取る機能しか備えていないため、紙を裁断、或いは分割する際には、ハサミやカッター等のカッティング工具が必要だった。
だが、上記した工具の使用には一定の危険性がある。しかもロールペーパー、ガイドローリング筒、及びブレーキアームローラーはすべて同一側に位置するために干渉が生じ、操作がスムーズにいかない恐れがある。
【先行技術文献】
【特許文献】
【０００４】
【特許文献１】米国特許公報第９３１５３５２号明細書
【考案の概要】
【考案が解決しようとする課題】
【０００５】
前記先行技術は、紙を巻き取る技術を有するが、構造が複雑で故障しやすいという欠点がある。
【課題を解決するための手段】
【０００６】
本考案は、ロールペーパーの設置方向に沿って裁断としぼ紙生産という異なる機能を両立させる技術を達成し、使用時のスムーズ性と利便性を備えるロールペーパーアプリケーターを提供することを目的とする。
【０００７】
本考案によるロールペーパーアプリケーターは、ベース、搭載装置、圧板、ガイド装置、しぼ紙装置を有する。
該ベースには底フレームが設置され、該底フレームの両側には立フレームがそれぞれ設置される。
該搭載装置は２個の位置限定部材を有し、該各位置限定部材は該立フレームに設置され、該各位置限定部材にはシャフトが取り付けられる。
該圧板両端には連動部材が設置し、該連動部材は該立フレームに枢接され、該連動部材には弾性部材が連接され、該弾性部材の反対端には該立フレームが連接される。
ここで、搭載装置を中心として、ガイド装置が設置される側を第二側、ガイド装置が設置される側の反対側を第一側と規定する。
該ガイド装置にはサポートロッドが設置され、該サポートロッドは該立フレームに接続され、しかも該ガイド装置と該シャフトとは平行に設置され、該ガイド装置は該搭載装置の第二側に位置する。
該しぼ紙装置は該底フレームに設置され、該しぼ紙装置は該搭載装置の第一側に位置し、しかもカッティング部材が設置される。
【０００８】
本考案が提供するロールペーパーアプリケーターは、ロールペーパーの設置の方向を利用し、圧板としぼ紙装置を用いて、紙のカッティングと巻き取りという異なる２種の機能を同時に達成し、よりスムーズに使用できる。
【図面の簡単な説明】
【０００９】
【図１】本考案の実施形態の組合せ斜視図である。
【図２】本考案の実施形態の部分分解斜視図である。
【図３】本考案の実施形態の使用状態を示す模式的側面図であり、ロールペーパーアプリケーターをロールペーパー巻き取りに使用する形態を示す。
【図４】本考案の実施形態の使用状態を示す模式的側面図であり、ロールペーパーアプリケーターをロールペーパーのカッティングに使用する形態を示す。
【図５】本考案の実施形態の交換状態を示す模式的斜視図であり、ロールペーパーアプリケーターのロールペーパーを交換する形態を示す。
【考案を実施するための形態】
【００１０】
（一実施形態）
本考案の実施形態の組合せ斜視図及び部分分解斜視図である図１及び図２に示す通り、ロールペーパーアプリケーター１００は、ベース１０、搭載装置２０、圧板３０、ガイド装置４０、しぼ紙装置５０を有する。
【００１１】
ベース１０には、底フレーム１１が設置され、底フレーム１１の両側には、立フレーム１２がそれぞれ設置される。
しかも、立フレーム１２には、係合固定部品１３がそれぞれ設置される。
係合固定部品１３は、収容設置部１３１、切換えボタン１３２、挿入ピン１３３を有する。
収容設置部１３１は、中空円柱体で、しかも収容設置部１３１の側壁には、調整孔１３４が設置される。
挿入ピン１３３は、収容設置部１３１に設置される。
切換えボタン１３２は、回転ネジで、そのネジ山部分は、調整孔１３４を通過して、挿入ピン１３３に螺設される。
これにより、挿入ピン１３３は、収容設置部１３１に沿って移動し、第一位置と第二位置を形成する。第一位置と第二位置については、段落［００１９］で説明する。
【００１２】
搭載装置２０は、２個の位置限定部材２１を有する。
各位置限定部材２１は、斜めに設置されるＵ型槽２２を有し、しかも各位置限定部材２１は、立フレーム１２に設置される。
各位置限定部材２１には、シャフト２３が取り付けられる。
シャフト２３には、ロールペーパー２４が通して設置される。
ロールペーパー２４の材質は、クラフト紙で、しかもシャフト２３は、ロールペーパー２４両端に、ストッパー２５がそれぞれ設置される。
各ストッパー２５は、シャフト２３に通して設置され、ロールペーパー２４のスライド動を防止する。
【００１３】
ここで、搭載装置を中心として、ガイド装置が設置される側を第二側、ガイド装置が設置される側の反対側を第一側と規定する。
圧板３０は、搭載装置２０の第一側に位置し、圧板３０両端には、連動部材３１がそれぞれ設置される。
各連動部材３１は、立フレーム１２に枢接される。
各連動部材３１には、弾性部材３２が連接される。
弾性部材３２の反対端には、立フレーム１２が連接され、しかも圧板３０には、押さえ棒３３が連接される。
押さえ棒３３は、圧板３０と平行に設置される。
【００１４】
ガイド装置４０は、搭載装置２０の第二側に位置する。
ガイド装置４０には、サポートロッド４１が設置される。
サポートロッド４１は、立フレーム１２に連接し、しかもサポートロッド４１とシャフト２３とは平行に設置される。
サポートロッド４１両端には、固定部材４２がそれぞれ連接される。
固定部材４２は、固定板で、各固定部材４２の反対端は、立フレーム１２に固接される。
サポートロッド４１には、ローラー４３が嵌められて設置される。
ローラー４３の両側には、定位部材がそれぞれ設置される。
しかも、各定位部材４４は、サポートロッド４１に通して設置される。
【００１５】
しぼ紙装置５０は、搭載装置２０の第一側に位置し、しぼ紙装置５０は、底フレーム１１に設置される。
しぼ紙装置５０は、ロート状を呈し、しかもしぼ紙装置５０は、入口５１及び出口５２を有する。
入口５１と出口５２の間には、ロート型通路５３が設置される。
しぼ紙装置５０は、出口５２の側に、カッティング部材５４が設置される。
カッティング部材５４は、Ｖ字型を呈し、しかもカッティング部材５４には、開口５４１が設置される。
開口５４１両側には、複数のネジ穴５４２が設置され、開口５４１の片側は、複数のボルト５４３により、カッティング部材５４がしぼ紙装置５０に連接される。
開口５４１両側には、ブレード５４４がそれぞれ設置され、ブレード５４４は、鋸歯状或いは波浪状である。
【００１６】
本考案の実施形態の部分分解斜視図及び使用状態を示す模式的側面図である図２及び図３に示す通り、ロールペーパーアプリケーター１００をロールペーパー２４巻き取りに使用する実施形態では、ロールペーパーアプリケーター１００の操作時、使用者は先ず、ロールペーパー２４をシャフト２３に通して設置する。
次に、各ストッパー２５をロールペーパー２４の両端に嵌めて設置し、ロールペーパー２４をシャフト２３中央に固定する。
続いて、シャフト２３の位置を各位置限定部材２１上で限定し、圧板３０弾性部材３２の弾力により、圧板３０を圧迫して押し、ロールペーパー２４を固定し、搭載装置２０使用時の安定性を維持して、揺れ動きを防ぐ。
この時、使用者は、ロールペーパー２４の紙２４１を抜き出した後、ロールペーパー２４の方向を下向きに引き出し、ガイド装置４０を巡らせる。
最後に、ロールペーパー２４の紙２４１を、しぼ紙装置５０の入口５１まで導引する。
しぼ紙装置５０には、ロート型通路５３が設置されるため、ロールペーパー２４の紙２４１は、ロート型通路５３のサイズの縮小により圧縮され、シワ効果を生じる。
ロールペーパー２４の紙２４１は出口５２を通過後、シワが生じた紙２４１となって引き出され、シワが生じた紙２４１はブレード５４４により裁断される。
【００１７】
本考案の実施形態の組合せ斜視図及び使用状態を示す模式的側面図である図１及び図３に示す通り、ロールペーパーアプリケーター１００を、ロールペーパー巻き取りに使用する実施形態では、しぼ紙装置５０は、搭載装置２０の第一側に位置し、ガイド装置４０は、搭載装置２０の第二側に位置する。
よって、紙２４１は先ず搭載装置２０の第二側に位置するガイド装置４０を巡り、次に搭載装置２０第一側に位置するしぼ紙装置５０まで導引される。
この設計により、使用者が紙２４１を引っ張る過程において張力が生じ、しぼ紙過程はより直接的且つ有効となり、さらなる省力化と迅速化を図ることができる。
【００１８】
本考案の実施形態の部分斜視分解図及び使用状態を示す模式的側面図である図２及び図４に示す通り、ロールペーパーアプリケーター１００をロールペーパー２４のカッティングに使用する実施形態では、使用者がロールペーパー２４の紙２４１を下方へと引き出すと、ロールペーパー２４の紙２４１は圧板３０の下方に沿って置かれる。弾性部材３２が弾力により、圧板３０を圧迫して押し、ロールペーパー２４を固定する。これにより、搭載装置２０使用時の安定性が維持され、揺れ動きが防止される。
最後に、使用者は押さえ棒３３を利用して、ロールペーパー２４の紙２４１を、ロールペーパー２４と分離し、カッティングという目的を達成する。
【００１９】
本考案の実施形態の交換状態を示す模式的側面図である図５に示す通り、使用者がロールペーパー２４の方向を変える時には、各係合固定部品１３の切換えボタン１３２を調整する。
切換えボタン１３２を左へ移動させると、挿入ピン１３３は収容設置部１３１に沿って第一位置まで移動する。この時、圧板３０は緩み、使用者はロールペーパー２４を交換することができる。
反対に、切換えボタン１３２を右へ移動させると、挿入ピン１３３は収容設置部１３１に沿って第二位置まで移動する。
この時、圧板３０は搭載装置２０に接触し、ロールペーパー２４の移動を制限する。
【００２０】
前述した本考案の実施形態は本考案を限定するものではなく、よって、本考案により保護される範囲は実用新案登録請求の範囲を基準とする。
【符号の説明】
【００２１】
１００  ロールペーパーアプリケーター、
１０    ベース、
１１    底フレーム、
１２    立フレーム、
１３    係合固定部品、
１３１  収容設置部、
１３２  切換えボタン、
１３３  挿入ピン、
１３４  調整孔、
２０    搭載装置、
２１    位置限定部材、
２２    Ｕ型槽、
２３    シャフト、
２４    ロールペーパー、
２４１  紙、
２５    ストッパー、
３０    圧板、
３１    連動部材、
３２    弾性部材、
３３    押さえ棒、
４０    ガイド装置、
４１    サポートロッド、
４２    固定部材、
４３    ローラー、
４４    定位部材、
５０    しぼ紙装置、
５１    入口、
５２    出口、
５３    ロート型通路、
５４    カッティング部材、
５４１  開口、
５４２  ネジ穴、
５４３  ボルト、
５４４  ブレード。
【図１】
0003221138.tif 000003
【図２】
0003221138.tif 000004
【図３】
0003221138.tif 000005
【図４】
0003221138.tif 000006
【図５】
0003221138.tif 000007